(57)【要約】      （修正有）【課題】使用頻度が同じようなティッシュボックスと筆記用具を同じ場所に置いておき、しかも筆記用具がテーブル上から転がり落ちないようにする。【解決手段】ティッシュボックス１の上面適所にボールペン、鉛筆等の筆記用具２を挿通し得る穴を、当該穴３に対して直角方向の側面には筆記用具の先端部分が適宜挿通し得る穴４を設ける。これら上面及び側面の穴は、ミシン目等の破断線により形成される。【選択図】図１
0003117624.tif 000002
【実用新案登録請求の範囲】
【請求項１】
ティッシュボックスの上面適所にボールペン、鉛筆等の筆記用具を挿通し得る穴を、当該穴に対して直角方向の側面には筆記用具の先端部分が適宜挿通し得る穴を、これら上面の穴及び側面の穴は、穴を形成し得るミシン目等の破断線により形成してなる筆記用具を装着できるティッシュボックス。
【請求項２】
前記上面に形成する穴が、ミシン目等の破断線により形成してなる略半円形の穴であり、当該半円形の直線部に連通してスリットを入れてなる請求項１の筆記用具を装着できるティッシュボックス。
【請求項３】
前記上面と側面に形成する穴が、Ｕ字状にミシン目等の破断線により形成してなる穴としてなる請求項１の筆記用具を装着できるティッシュボックス。
【請求項４】
ティッシュボックスの下面適所に空白のメモ欄を設けてなる請求項１及び請求項２の筆記用具を装着できるティッシュボックス。
【考案の詳細な説明】
【技術分野】
【０００１】  本考案は、ティッシュボックスに関するものであり、詳しくは筆記用具を装着可能としたティッシュボックスに関するものである。
【背景技術】
【０００２】  厚紙で箱型からなる本体の収容室にティッシュペーパーを収容し、上面部に形成された引出口からティッシュペーパーを取り出すようにしたティッシュボックスは家庭内はもちろんのこと生活圏の至る所で使用されている。【０００３】  当該ティッシュボックスは、ボックスの機能についてはいろんな改良、工夫がされている。例えば、収納室内のティッシュが残り少なくなった場合に当該ティッシュを上部へ押し上げるべく、ボックスの下面の一部に押し上げ片を形成するミシン目等からなる破断線が設けられており、またティッシュを使い切った後に、ボックス折り畳んで捨て易くするために、長手方向の両側面には、指を入れる穴を形成する同じくミシン目等からなる破断線が設けられており、上面のティッシュ引出し口を開封するにもいろいろと工夫されている。【０００４】  一方、ティッシュボックスの使用場所例として介護施設が上げられるが、当該介護施設では、このティッシュを使用するのと同じくらいの頻度で筆記用具も使用する。筆記用具はティッシュボックスと同じくテーブル等の上に置いておくが転がり落ちることが多い。しかし、老人等の介護という仕事柄、介護人は被介護者を抱かかえることが多く、従って介護人は上着の胸ポケット等に筆記用具を差しておく事は非常に危険である。【０００５】  また、何かの折につけ、咄嗟にメモを取る必要に迫られる事があるが、そういうときに限りメモを取る紙が見当たらない事も現実である。
【考案の開示】
【考案が解決しようとする課題】
【０００６】  使用頻度が同じようなティッシュボックスと筆記用具を同じ場所に置いておき、しかも筆記用具がテーブル上から転がり落ちないようにする事が考案が解決しようとする課題である。
【課題を解決するための手段】
【０００７】  課題を解決するための手段として、ティッシュボックスに着脱を容易として筆記用具を装着できるようにする事である。
【考案の効果】
【０００８】  従来は例えば介護施設等において、ティッシュを使用するのと同じくらいの頻度で筆記用具も使用され、筆記用具はティッシュボックスと同じくテーブル等の上に置いておくが転がり落ちることが多かった。しかし、老人等の介護という仕事柄、介護人は被介護者を抱かかえることが多く、従って介護人は上着の胸ポケット等に筆記用具を差しておく事は非常に危険なことであったが、ティッシュボックス１に筆記用具２を装着することにより、筆記用具２は常時取り易い状態でおかれており、テーブル上から転がり落ちる事もない。実施例２の構造においては支持片６が筆記用具２を保持するので挿通された筆記用具２がぐらつくことなく安定性に優れている。また実施例３においても同じく相通された筆記用具２は支持片６にて確実に保持され、しかも側面の穴４の部位においても側面より突出する筆記用具２の先端部分が覆い片７にて覆い隠され安全性が確保されている。またティッシュボックス１の下面にメモ欄８を設けているので、緊急にメモしたい場合にも上面の筆記用具２を取ってボックス１を裏返し、メモ欄８に簡単な覚書を書いておける等、極めて顕著なる実用的効果を有するものである。
【考案を実施するための最良の形態】
【０００９】  本考案は、ティッシュボックスの上面適所にボールペン、鉛筆等の筆記用具を挿通し得る穴を、当該穴に対して直角方向の側面には筆記用具の先端部分が適宜挿通し得る穴を、これら上面の穴及び側面の穴は、穴を形成し得るミシン目等の破断線により形成してなる筆記用具を装着できるティッシュボックスであり、更には、前記上面に形成する穴が、ミシン目等の破断線により形成してなる略半円形の穴であり、当該半円形の直線部に連通してスリットを入れてなる請求項１の筆記用具を装着できるティッシュボックスであり、更には上面と側面に形成する穴が、Ｕ字状にミシン目等の破断線により形成してなる穴としてなる筆記用具を装着できるティッシュボックスであり、更にはティッシュボックスの下面適所に空白のメモ欄を設けてなる請求項１及び請求項２の筆記用具を装着できるティッシュボックスを呈せんとするものである。
【実施例１】
【００１０】  ティッシュボックス１の上面の端部より若干内方の位置にボールペン、鉛筆等の筆記用具２を挿通し得る大きさの穴３を、当該穴３に対して直角方向の側面で上面より下方に筆記用具２の先端部分が挿通し得る大きさの穴４を、これら上面の穴３及び側面の穴４は、両穴３、４を形成し得るミシン目等の破断線により形成し、ティッシュボックス１の使用者が必要に応じて当該穴３、４を開口し、筆記用具２を挿通して使用する。従って側面に形成する穴４の位置は挿通した筆記用具２の着脱が容易なように、装着角度が４５度程度になる位置としている。
【実施例２】
【００１１】  ティッシュボックス１の上面の端部より若干内方の位置にボールペン、鉛筆等の筆記用具２を挿通し得る大きさの略半円形の穴３を、当該半円形の穴３の直線部に連通してスリット５を入れている。穴３に約４５度の角度で筆記用具２を挿通した際に筆記用具２でスリット５は押し開かれ、スリット５の両側が斜め下方に向かって下がって支持片６となり、相通した筆記用具２を安定して支持するように形成している。また穴３に対して直角方向の側面で上面より下方に筆記用具２の先端部分が挿通し得る大きさの穴４を、これら上面の穴３及び側面の穴４は、両穴３、４を形成し得るミシン目等の破断線により形成し、ティッシュボックス１の使用者が必要に応じて当該穴３、４を開口し、筆記用具２を挿通して使用する。従って側面に形成する穴４の位置は挿通した筆記用具２の装着角度が約４５度になる位置としている。
【実施例３】
【００１２】  ティッシュボックス１の上面の端部より若干内方の位置にボールペン、鉛筆等の筆記用具２を挿通し得る大きさのＵ字状にミシン目等の破断線により形成してなる穴３を、当該穴３に対して直角方向の側面で上面より下方に筆記用具２の先端部分が挿通し得る大きさの同じくＵ字状にミシン目等の破断線により形成してなる穴４を形成している。Ｕ字状の破断線はティッシュボックス１の使用者が必要に応じて当該穴３、４を開口し、筆記用具２を挿通して使用する。この際、Ｕ字状の破断されない部分は筆記用具２を挿通した際に上面の穴３の部位では下方に押し出されて筆記用具２の支持片６となり、側面の穴４の部位では覆い片７が突出する筆記用具２の先端部分を覆い隠し安全性を確保すべく構成している。側面に形成する穴４の位置は挿通した筆記用具２の着脱が容易なように、装着角度が４５度程度になる位置としている。
【実施例４】
【００１３】  ティッシュボックス１の下面適所に適宜の面積のメモ欄８を設けている。本実施例においてはボックス１の下面に設けているが、長手方向の側面に設けることも可能であり、場所に限定されるものではない。
【産業上の利用可能性】
【００１４】  本考案は、ティッシュボックス１の上面適所にボールペン、鉛筆等の筆記用具２を挿通し得る穴３を、当該穴３に対して直角方向の側面には筆記用具２の先端部分が適宜挿通し得る穴４を、これら上面の穴３及び側面の穴４は、穴３、４を形成し得るミシン目等の破断線により形成してなる筆記用具を装着できるティッシュボックスであり、更には、前記上面に形成する穴３が、ミシン目等の破断線により形成してなる略半円形の穴３であり、当該半円形の直線部に連通してスリット５を入れてなる請求項１の筆記用具を装着できるティッシュボックスであり、更には上面と側面に形成する穴が、Ｕ字状にミシン目等の破断線により形成してなる穴としてなる請求項１の筆記用具を装着できるティッシュボックスであり、更にはティッシュボックスの裏面適所に空白のメモ欄７を設けてなる請求項１及び請求項２の筆記用具を装着できるティッシュボックスであるから、従来は例えば介護施設等において、ティッシュを使用するのと同じくらいの頻度で筆記用具も使用され、筆記用具はティッシュボックスと同じくテーブル等の上に置いておくが転がり落ちることが多かった。しかし、老人等の介護という仕事柄、介護人は被介護者を抱かかえることが多く、従って介護人は上着の胸ポケット等に筆記用具を差しておく事は非常に危険なことであったが、ティッシュボックス１に筆記用具２を装着することにより、筆記用具２は常時取り易い状態でおかれており、テーブル上から転がり落ちる事もない。実施例２の構造においては支持片６が筆記用具２を保持するので挿通された筆記用具２がぐらつくことなく安定性に優れている。また実施例３においても同じく相通された筆記用具２は支持片６にて確実に保持され、しかも側面の穴４の部位においても側面より突出する筆記用具２の先端部分が覆い片７にて覆い隠され安全性が確保されている。またティッシュボックス１の下面にメモ欄８を設けているので、緊急にメモしたい場合にも上面の筆記用具２を取ってボックス１を裏返し、メモ欄８に簡単な覚書を書いておける等、産業上での利用可能性は極めて大きいものがある。
【図面の簡単な説明】
【００１５】
【図１】  使用状態を示す斜視図
【図２】  実施例１の穴の位置を示す断部分側面図
【図３】  実施例１の穴の位置を示す平面図
【図４】  実施例２の穴の位置を示す断部分側面図
【図５】  実施例２の穴の位置を示す平面図
【図６】  実施例３の穴の位置を示す断部分側面図
【図７】  実施例３の穴の位置を示す平面図
【図８】  メモ欄を示す平面図
【符号の説明】
【００１６】１  ティッシュボックス
２  筆記用具
３  上面の穴
４  側面の穴
５  スリット
６  支持片
７  覆い片
８  メモ欄
【図１】
0003117624.tif 000003
【図２】
0003117624.tif 000004
【図３】
0003117624.tif 000005
【図４】
0003117624.tif 000006
【図５】
0003117624.tif 000007
【図６】
0003117624.tif 000008
【図７】
0003117624.tif 000009
【図８】
0003117624.tif 000010